(57)【要約】      （修正有）【課題】正確なインク残量値を算出することができるインク供給装置、インクジェット記録装置、及びインク供給方法を提供する。【解決手段】インク供給装置１００は、第１タンク１１０と、第２タンク１２０と、インク供給部と、検出部１２１と、判定部とを備える。第１タンク１１０は、インクを貯留する。第２タンク１２０は、インクを貯留する。インク供給部は、第１タンク１１０から第２タンク１２０にインクを供給する。検出部１２１は、第２タンク１２０のインクを検出する。判定部は、検出部１２１の検出結果に基づいて、第１タンク１１０のインクの有無を判定する。【選択図】図２
2019155854.tif 000002
【特許請求の範囲】
【請求項１】
インクを貯留する第１タンクと、
前記インクを貯留する第２タンクと、
前記第１タンクから前記第２タンクに前記インクを供給するインク供給部と、
前記第２タンクの前記インクを検出する検出部と、
前記検出部の検出結果に基づいて、前記第１タンクのインクの有無を判定する判定部とを備える、インク供給装置。
【請求項２】
前記判定部は、前記検出部が前記第２タンクのインクを検出しない場合に、前記第１タンクにインクが無いと判定する、請求項１に記載のインク供給装置。
【請求項３】
前記判定部は、前記検出部が前記第２タンクのインクを所定時間検出しない場合、前記第１タンクにインクが無いと判定する、請求項１又は請求項２に記載のインク供給装置。
【請求項４】
インクの量を算出する算出部をさらに備え、
前記判定部は、前記検出部の検出結果と前記算出部の算出結果とに基づいて、前記インク供給装置が故障しているか否かを判定する、請求項１から請求項３のいずれか１項に記載のインク供給装置。
【請求項５】
前記算出部は、前記第１タンクのインクの残量を算出し、
前記判定部は、前記検出部の検出結果と前記算出部の算出結果とに基づいて、前記インク供給部が故障しているか否かを判定する、請求項４に記載のインク供給装置。
【請求項６】
前記算出部は、前記第２タンクから送出されたインクの量を算出し、
前記判定部は、前記検出部の検出結果と前記算出部の算出結果とに基づいて、前記検出部が故障しているか否かを判定する、請求項４又は請求項５に記載のインク供給装置。
【請求項７】
請求項１から請求項６のいずれか１項に記載のインク供給装置を備える、インクジェット記録装置。
【請求項８】
インク供給装置が実行するインク供給方法であって、
第１タンクから第２タンクにインクを供給するインク供給部を備え、
前記インク供給方法は、
前記第２タンクのインクを検出する検出ステップと、
前記検出ステップの検出結果に基づいて、前記第１タンクのインクの有無を判定する判定ステップと
を備える、インク供給方法。
【発明の詳細な説明】
【技術分野】
【０００１】
本発明は、インク供給装置、インクジェット記録装置、及びインク供給方法に関する。
【背景技術】
【０００２】
従来、インクカートリッジのインク量を検出できる液滴噴射装置が知られている。このような液滴噴射装置として、特許文献１に記載の液滴噴射装置は、交換可能なインクタンクと、サブタンクと、第１インク検出部と、第２インク検出部と、判定手段とを備える。判定手段は、第１インク検出部と第２インク検出部との検出結果に基づいて、インクタンク内の液体が空であることを判定する。
【先行技術文献】
【特許文献】
【０００３】
【特許文献１】特開２００８−３０２５９０号公報
【発明の概要】
【発明が解決しようとする課題】
【０００４】
しかしながら、特許文献１に記載の液滴噴射装置は、インクタンク内の液体が空であることを判定するために、２つの検出部を備える必要があり、製造コストが高い。
【０００５】
本発明は上記課題に鑑みてなされたものであり、インクを検出するための構造が簡単で、コスト面で優位なインク供給装置、インクジェット記録装置、及びインク供給方法を提供することを目的とする。
【課題を解決するための手段】
【０００６】
本発明に係るインク供給装置は、第１タンクと、第２タンクと、インク供給部と、検出部と、判定部とを備える。前記第１タンクは、インクを貯留する。前記第２タンクは、前記インクを貯留する。前記インク供給部は、前記第１タンクから前記第２タンクに前記インクを供給する。前記検出部は、前記第２タンクの前記インクを検出する。前記判定部は、前記検出部の検出結果に基づいて、前記第１タンクのインクの有無を判定する。
【０００７】
本発明に係るインクジェット記録装置は、インク供給装置を備える。
【０００８】
本発明に係るインク供給装置が実行するインク供給方法は、第１タンクから第２タンクにインクを供給するインク供給部を備え、検出ステップと、判定ステップとを備える。前記インク供給部は、前記第１タンクから前記第２タンクに前記インクを供給する。前記検出ステップは、前記第２タンクのインクを検出する。前記判定ステップは、前記検出ステップの検出結果に基づいて、前記第１タンクのインクの有無を判定する。
【発明の効果】
【０００９】
本発明によれば、インクを検出するための構造が簡単で、コスト面で優位なインク供給装置、インクジェット記録装置、及びインク供給方法を提供できる。
【図面の簡単な説明】
【００１０】
【図１】本発明の実施形態に係るインク供給装置を備えるインクジェット記録装置を示す図である。
【図２】本発明の実施形態に係るインク供給装置を示す図である。
【図３】本発明の実施形態に係るインク供給装置の制御ブロック図である。
【図４】インク供給装置の制御部が実行する処理を示す図である。
【発明を実施するための形態】
【００１１】
以下、本発明の実施形態について、図面を参照しながら説明する。なお、図中、同一又は相当部分については同一の参照符号を付して説明を繰り返さない。
【００１２】
まず、図１を参照して、インクジェット記録装置１の構成について説明する。図１は、本発明の実施形態に係るインク供給装置１００を備えるインクジェット記録装置１の構成を示す図である。
【００１３】
図１に示すように、インクジェット記録装置１は、操作パネル２、用紙収容部５、搬送ユニット６、記録部７、インク供給装置１００、排出装置８、制御部９、及び記憶部１０を備える。
【００１４】
操作パネル２は、インクジェット記録装置１に対するユーザーからのジョブの指示を受け付ける。操作パネル２は、通知部及び複数の操作キーを含む。操作パネル２は、ユーザーからの指示を受け付けると、ユーザーからの指示を示す信号を制御部９へ送信する。通知部は、例えば、液晶ディスプレー又は有機ＥＬディスプレー（Ｏｒｇａｎｉｃ  Ｅｌｅｃｔｒｏ  Ｌｕｍｉｎｅｓｃｅｎｃｅ  Ｄｉｓｐｌａｙ）を含む。
【００１５】
用紙収容部５は、複数のカセット５１を有する。具体的には、用紙収容部５は、用紙Ｐを収容する複数のカセット５１を有する。カセット５１から給紙された用紙Ｐは、搬送ユニット６へ搬送される。
【００１６】
搬送ユニット６は、記録部７の下方を通過するように用紙Ｐを搬送する。また、搬送ユニット６は、記録部７の下方を通過した用紙Ｐを排出装置８に搬送する。
【００１７】
記録部７は、インクを吐出して用紙Ｐに画像を形成する。記録部７は、ヘッドハウジング７１と４つのラインヘッド７２とを含む。ヘッドハウジング７１は、４つのラインヘッド７２を支持する。４つのラインヘッド７２の各々は、対応する色のインクを吐出する。
【００１８】
イエロー色のインクを吐出するラインヘッド７２をラインヘッド７２Ｙと示している。マゼンダ色のインクを吐出するラインヘッド７２をラインヘッド７２Ｍと示している。シアン色のインクを吐出するラインヘッド７２をラインヘッド７２Ｃと示している。ブラック色のインクを吐出するラインヘッド７２をラインヘッド７２Ｋと示している。
【００１９】
インク供給装置１００は、記録部７にインクを供給する。インク供給装置１００は、４つ設けられる。第１インク供給装置１００Ｙは、ラインヘッド７２Ｙにインクを供給する。第２インク供給装置１００Ｍは、ラインヘッド７２Ｍにインクを供給する。第３インク供給装置１００Ｃは、ラインヘッド７２Ｃにインクを供給する。第４インク供給装置１００Ｋは、ラインヘッド７２Ｋにインクを供給する。
【００２０】
排出装置８は、排出トレイ８１を含む。排出装置８は、本体筐体の外部へ用紙Ｐを排出する。本体筐体の外部へ排出された用紙Ｐは、排出トレイ８１に載置される。
【００２１】
制御部９は、ＣＰＵ（Ｃｅｎｔｒａｌ  Ｐｒｏｃｅｓｓｉｎｇ  Ｕｎｉｔ）のようなプロセッサーによって構成される。制御部９は、制御プログラムを実行することにより、インクジェット記録装置１の各部の動作を制御する。また、制御部９は、画像形成処理用の集積回路を備える。画像形成処理用の集積回路は、例えば、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）によって構成される。
【００２２】
記憶部１０は、データを記憶する。記憶部１０は、ストレージデバイス及び半導体メモリーによって構成される。ストレージデバイスは、例えば、ＨＤＤ（Ｈａｒｄ  Ｄｉｓｋ  Ｄｒｉｖｅ）及び／又はＳＳＤ（Ｓｏｌｉｄ  Ｓｔａｔｅ  Ｄｒｉｖｅ）によって構成される。半導体メモリーは、例えば、ＲＡＭ（Ｒａｎｄｏｍ  Ａｃｃｅｓｓ  Ｍｅｍｏｒｙ）及びＲＯＭ（Ｒｅａｄ  Ｏｎｌｙ  Ｍｅｍｏｒｙ）を構成する。記憶部１０は、制御プログラムを記憶する。
【００２３】
記憶部１０は、インク量データを記憶する。インク量データは、送出量データと、吐出量データと、最大容量データと、残量データとを含む。送出量データは、画像の記録で吐出されたインクの量とクリーニングで吐出されたインクの量とを含む。吐出量データは、１画素あたりのインクの吐出量とクリーニングの動作で吐出するインクの吐出量とを含む。最大容量データは、インクタンクのインクの最大容量を示す。残量データは、インクタンクのインクの残量を示す。
【００２４】
次に、図２を参照して、インク供給装置１００を詳説する。図２は、インク供給装置１００を示す図である。図２に示すように、インク供給装置１００は、インクタンク１１０と、サブタンク１２０と、シリンジポンプ１３０と、供給ポンプ１５０と、第１配管１６１と、第２配管１６２と、第３配管１６３と、第１バルブ１６２ａと、第２バルブ１６３ａとを備える。インク供給装置１００は、制御部９の指示に従って動作する。
【００２５】
インクタンク１１０はインクを収容する。インクタンク１１０は、「第１タンク」の例に相当する。インクタンク１１０のインクは、画像の記録で吐出されるインクとクリーニングで吐出されるインクとを含む。インクタンク１１０は、インクの色種ごとに設けられている。具体的には、インクタンク１１０は、イエロー色のインクを貯留するインクタンクと、マゼンタ色のインクを貯留するインクタンクと、シアン色のインクを貯留するインクタンクと、ブラック色のインクを貯留するインクタンクとを含む。複数のインクタンク１１０の各々は、同じ色種のサブタンク１２０に配管を介して連結される。また、インクタンク１１０は、インクが無くなると交換される。
【００２６】
なお、インクタンク１１０は、インクの残量記憶装置を有してもよい。残量記憶装置は、送出量データと、最大容量データと、残量データとを記憶する。
【００２７】
サブタンク１２０は、インクを貯留する。サブタンク１２０は、「第２タンク」の例に相当する。サブタンク１２０は、インクタンク１１０から供給されるインクを貯留する。サブタンク１２０は、インクの色種ごとに設けられる。サブタンク１２０は、同じ色種のシリンジポンプ１３０に配管を介して連結される。サブタンク１２０は、フロート１２２と、検出部１２１とを備える。検出部１２１は、例えば、「ホールＩＣ」である。フロート１２２は、サブタンク１２０内のインクの液面の上昇と下降に合わせてサブタンク１２０内を上下する。フロート１２２は、マグネットホルダーと、マグネット１２２ａとを有する。マグネットホルダーは、マグネット１２２ａを保持する。マグネット１２２ａは、磁力を発生させる。また、サブタンク１２０は、貫通孔（不図示）を備える。貫通孔は大気と連通する。貫通孔は、サブタンク１２０内のインクの液面より上部に設けられる。
【００２８】
検出部１２１は、サブタンク１２０内のインクの有無を検出する。検出部１２１は、サブタンク１２０の外壁に設けられる。検出部１２１は、サブタンク１２０の外壁の所定の高さに設けられる。検出部１２１は、マグネット１２２ａの磁力によって、ＯＮ状態とＯＦＦ状態とが切り替わる。ＯＮ状態とは、検出部１２１がマグネット１２２ａの磁力を検出した状態である。ＯＦＦ状態とは、検出部１２１がマグネット１２２ａの磁力を検出しない状態である。
【００２９】
検出部１２１は、マグネット１２２ａの磁力を検出した場合に、信号を制御部９に出力する。具体的には、サブタンク１２０にインクが供給され、フロート１２２のマグネット１２２ａが、検出部１２１が設けられた高さまで上昇した場合、検出部１２１は、マグネット１２２ａの磁力を検出し、信号を制御部９に出力する。この結果、検出部１２１は、サブタンク１２０内にインクが有ることを検出できる。
【００３０】
また、検出部１２１は、マグネット１２２ａの磁力を検出しない場合に、信号を制御部９に出力しない。具体的には、サブタンク１２０のインクがシリンジポンプ１３０によって送出され、フロート１２２のマグネット１２２ａが、検出部１２１が設けられた高さよりも下降した場合、検出部１２１は、マグネット１２２ａの磁力を検出せず、信号を制御部９に出力しない。この結果、検出部１２１は、サブタンク１２０内にインクが無いことを検出できる。
【００３１】
シリンジポンプ１３０は、サブタンク１２０に貯留されたインクを第３配管１６３に吐出する。シリンジポンプ１３０は、シリンダーと、ピストンとを有する。シリンジポンプ１３０は、インクの色種ごとに設けられる。シリンジポンプ１３０は、同じ色種のラインヘッド７２に配管を介して連結される。
【００３２】
シリンダーは、サブタンク１２０のインクを貯留する。シリンダーは、円筒部と、蓋部と、底部とを含む。シリンダーの底部には、流入口と流出口とが形成される。
【００３３】
ピストンは、シリンダー内を移動する。ピストンは、円筒状に形成される。ピストンの一部は、シリンダーに挿入される。ピストンは、制御部９の指示に従って、シリンダーの底部から蓋部までを移動する。
【００３４】
ピストンが蓋部側に移動すると、第２配管１６２と流入口とを介して、インクがサブタンク１２０からシリンダーに流入する。蓋部側は、シリンダーがピストンの底部から離間する方向を示す。ピストンが底部側に移動すると、流出口と第３配管１６３とを介して、インクがシリンダーから記録部７に流出する。底部側は、シリンダーがピストンの底部に近接する方向を示す。
【００３５】
供給ポンプ１５０は、インクタンク１１０に貯留されたインクをサブタンク１２０に供給する。供給ポンプ１５０は、インクの色種ごとに設けられる。供給ポンプ１５０は、制御部９の指示に従って、検出部１２１がＯＮ状態となるまでインクを供給する。供給ポンプ１５０は、「インク供給部」の例に相当する。
【００３６】
第１配管１６１は、インクタンク１１０とサブタンク１２０とを連結する。第１配管１６１には、供給ポンプ１５０が配置される。第２配管１６２は、サブタンク１２０とシリンジポンプ１３０とを連結する。第２配管１６２には、第１バルブ１６２ａが配置される。第３配管１６３は、シリンジポンプ１３０と記録部７とを連結する。第３配管１６３には、第２バルブ１６３ａが配置される。
【００３７】
第１バルブ１６２ａは、バルブの開閉によってインクの流入と流出とを制御する。第１バルブ１６２ａは、制御部９の指示に従って開閉される。具体的には、第１バルブ１６２ａは、ピストンの底部側への移動を開始する直前に開状態から閉状態にされ、ピストンの底部側への移動が終了した直後に閉状態から開状態にされる。すなわち、ピストンが底部側に移動している期間中は、第１バルブ１６２ａは、閉状態にされ、その他の期間では、第１バルブ１６２ａは、開状態にされる。
【００３８】
第２バルブ１６３ａは、バルブの開閉によってインクの流入と流出とを制御する。第２バルブ１６３ａは、制御部９の指示に従って開閉される。具体的には、第２バルブ１６３ａは、ピストンの蓋部側への移動を開始する直前に開状態から閉状態にされ、ピストンの蓋部側への移動が終了した直後に閉状態から開状態にされる。すなわち、ピストンが蓋部側に移動している期間中は、第２バルブ１６３ａは、閉状態にされる。その他の期間では、第２バルブ１６３ａは、開状態にされる。なお、第２バルブ１６３ａが開状態の場合、第１バルブ１６２ａは閉状態にされる。第２バルブ１６３ａが閉状態の場合、第１バルブ１６２ａは開状態にされる。
【００３９】
次に、図３を参照して、本発明の実施形態に係る制御部９を説明する。図３は、インク供給装置１００の制御ブロック図である。図３に示すように、制御部９は、記録部７と、記憶部１０と、検出部１２１と、シリンジポンプ１３０と、供給ポンプ１５０とにそれぞれ接続される。図３に示すように、制御部９は、算出部９１と、判定部９２とを含む。具体的には、制御部９のプロセッサーは、記憶部１０の記憶装置に記憶されたコンピュータープログラムを実行して、算出部９１及び判定部９２として機能する。
【００４０】
算出部９１は、インクの量を算出する。具体的には、算出部９１は、サブタンク１２０のインクの量及びインクタンク１１０のインクの量を算出する。さらに具体的には、算出部９１は、サブタンク１２０から送出されたインクの量である送出量を算出する。また、算出部９１は、インクタンク１１０のインクの残量を算出する。
【００４１】
送出量を算出する場合、算出部９１は、画像の記録で吐出されたインクの量と、クリーニングで吐出されたインクの量との合計量を算出する。具体的には、画像の記録で吐出されたインクを算出する場合、算出部９１は、記憶部１０が記憶する１画素あたりのインクの吐出量と、記録した画像の画素数とに基づいて、画像の記録で吐出されたインクの量を算出する。また、クリーニングで吐出されたインクの量を算出する場合、算出部９１は、クリーニングの動作で吐出されたインクの吐出量と、クリーニングの動作の回数とに基づいて、クリーニングで吐出したインクの量を算出する。
【００４２】
また、検出部１２１がインクを検出した場合、算出部９１は、送出量の算出を開始してもよい。また、検出部１２１がインクを検出しない場合、算出部９１は、送出量の算出を中止してもよい。算出部９１は、検出部１２１がＯＮ状態からＯＦＦ状態となるまでの送出量を算出する。なお、算出部９１の算出結果は、送出量データとして記憶部１０に記憶される。
【００４３】
インクタンク１１０のインクの残量を算出する場合、算出部９１は、送出量に基づいて、インクタンク１１０のインクの残量を算出する。具体的には、算出部９１は、画像の記録及びクリーニングの動作が実行される毎に、記憶部１０に記憶されたインクタンク１１０の残量データから送出量を引く。この結果、算出部９１は、インクタンク１１０のインクの残量を算出できる。なお、算出部９１が算出したインクの残量は、残量データとして記憶部１０と残量記憶装置とに記憶される。
【００４４】
また、算出部９１は、色種ごとのインクタンク１１０のそれぞれに対してインクの量を算出する。
【００４５】
判定部９２は、検出部１２１の検出結果に基づいて、サブタンク１２０のインクの有無を判定する。具体的には、判定部９２は、検出部１２１から検出結果を取得する。検出部１２１がＯＮ状態の場合、判定部９２は、サブタンク１２０にインクが有ると判定する。検出部１２１がＯＦＦ状態の場合、判定部９２は、サブタンク１２０にインクが無いと判定する。この結果、判定部９２は、サブタンク１２０のインクの有無を判定できる。
【００４６】
また、判定部９２は、検出部１２１がサブタンク１２０のインクを所定時間検出しない場合、インクタンク１１０にインクが無いと判定する。つまり、検出部１２１のＯＦＦ状態が所定時間続く場合、判定部９２は、インクタンク１１０にインクが無いと判定する。供給ポンプ１５０によって検出部１２１がＯＦＦ状態からＯＮ状態になるまでインクタンク１１０のインクがサブタンク１２０に供給される。このため、検出部１２１のＯＦＦ状態が所定時間続くと、判定部９２はインクタンク１１０のインクが無いと判定できる。この結果、インクタンク１１０にインクを検出するセンサーが無くても、サブタンク１２０に設けた検出部１２１の検出結果からインクタンク１１０のインクが無いことを判定できる。また、１つの検出部１２１のみでインクタンク１１０のインクの有無を判定できるため、インクを検出する構造が簡単となり、コスト面で優位となる。また、交換されるインクタンク１１０にインクを検出するセンサーが無いので、インクタンク１１０に係るコスト面で優位となる。
【００４７】
また、判定部９２は、検出部１２１の検出結果と算出部９１の算出結果とに基づいて、インク供給装置１００が故障しているか否かを判定する。具体的には、判定部９２は、インク供給装置１００の供給ポンプ１５０が故障しているか否かを判定する。また、判定部９２は、インク供給装置１００の検出部１２１が故障しているか否かを判定する。
【００４８】
供給ポンプ１５０が故障しているか否かの判定は、判定部９２がインクタンク１１０にインクが無いと判定した場合に実行される。具体的には、判定部９２がインクタンク１１０にインクが無いと判定した場合、判定部９２はインクタンク１１０の残量データとインクタンク１１０の最大容量データとを記憶部１０から取得する。判定部９２は、インクタンク１１０のインクの残量がインクタンク１１０の最大容量の所定割合より多いか否かを判定する。所定割合は、例えば、インクタンク１１０の最大容量の５％である。また、所定割合は、例えば、インクタンク１１０の最大容量の５％から２０％の間で設定できる。
【００４９】
インクタンク１１０のインクの残量がインクタンク１１０の最大容量の所定割合より多い場合、供給ポンプ１５０は、故障している。また、インクタンク１１０のインクの残量がインクタンク１１０の最大容量の所定割合より多くない場合、インクタンク１１０は、空である。判定部９２によって、簡単な構造で、インクタンク１１０のインクの有無と供給ポンプ１５０の故障とを判定できる。また簡単な構造を採用できるため、コスト面で優位となる。
【００５０】
検出部１２１が故障しているか否かの判定は、検出部１２１がインクを検出してから実行される。具体的には、検出部１２１は、サブタンク１２０内にインクが有ることを検出する。算出部９１は、送出量を算出する。判定部９２は、算出部９１が算出した送出量データを記憶部１０から取得する。判定部９２は、送出量が所定のインク量より多いか否かを判定する。所定のインク量は、例えば、サブタンク１２０に供給されたインクの量である。サブタンク１２０に供給されたインクの量より送出量が多い場合、判定部９２は検出部１２１が故障していると判定する。判定部９２によって、簡単な構造で、検出部１２１の故障を判定できる。また簡単な構造を採用できるため、コスト面で優位となる。
【００５１】
次に、図４を参照して、制御部９が実行する処理の流れを説明する。図４は、制御部９が実行する処理を示すフローチャートである。図４に示すように、制御部９が実行する処理は、ステップＳ１からステップＳ１９を含む。
【００５２】
ステップＳ１において、検出部１２１は、ＯＮ状態となる。具体的には、検出部１２１は、サブタンク１２０内のインクを検出する。つまり、サブタンク１２０には、インクがある。
【００５３】
ステップＳ３において、制御部９は、記憶部１０が送出量を記憶するように記憶部１０を制御する。
【００５４】
ステップＳ５において、判定部９２は、送出量が所定のインク量より多いか否かを判定する。送出量が所定のインク量より多い場合（ステップＳ５においてＹｅｓ）、処理はステップＳ１９に進む。送出量が所定のインク量より多くない場合（ステップＳ５においてＮｏ）、処理はステップＳ７に進む。
【００５５】
ステップＳ７において、検出部１２１は、ＯＦＦ状態となる。具体的には、検出部１２１は、サブタンク１２０内のインクを検出しない。つまり、サブタンク１２０内には、インクがない。
【００５６】
ステップＳ９において、制御部９は、供給ポンプ１５０がサブタンク１２０にインクを供給するように供給ポンプ１５０を制御する。
【００５７】
ステップＳ１１において、判定部９２は、検出部１２１のＯＦＦ状態が所定時間続くか否かを判定する。検出部１２１のＯＦＦ状態が所定時間続かない場合（ステップＳ１１においてＮｏ）、処理は終了する。検出部１２１のＯＦＦ状態が所定時間続く場合（ステップＳ１１においてＹｅｓ）、処理はステップＳ１３に進む。
【００５８】
ステップＳ１３において、判定部９２は、インクタンク１１０のインクの残量がインクタンク１１０の最大容量の所定割合より多いか否かを判定する。インクタンク１１０のインクの残量がインクタンク１１０の最大容量の所定割合より多くない場合（ステップＳ１３においてＮｏ）、処理はステップＳ１７に進む。インクタンク１１０のインクの残量がインクタンク１１０の最大容量の所定割合より多い場合（ステップＳ１３においてＹｅｓ）、処理はステップＳ１５に進む。
【００５９】
ステップＳ１５において、判定部９２は、供給ポンプ１５０が故障していると判定する。
【００６０】
ステップＳ１７において、判定部９２は、インクタンク１１０が空と判定する。
【００６１】
ステップＳ１９において、判定部９２は、検出部１２１が故障していると判定する。
【００６２】
本明細書において、ステップＳ７は、「検出ステップ」の例に相当する。ステップＳ１９は、「判定ステップ」の例に相当する。
【００６３】
以上、図面（図１〜図４）を参照しながら本発明の実施形態を説明した。但し、本発明は、上記の実施形態に限られるものではなく、その要旨を逸脱しない範囲で種々の態様において実施することが可能である。また、上記の各実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる。また、上記の実施形態で示す各構成要素の速度、材質、形状、寸法等は一例であって、特に限定されるものではなく、本発明の構成から実質的に逸脱しない範囲で種々の変更が可能である。
【産業上の利用可能性】
【００６４】
本発明は、インク供給装置、インクジェット記録装置、及びインク供給方法の分野に利用可能である。
【符号の説明】
【００６５】
１        インクジェット記録装置
９１      算出部
９２      判定部
１００    インク供給装置
１１０    インクタンク（第１タンク）
１２０    サブタンク（第２タンク）
１２１    検出部
１５０    供給ポンプ（インク供給部）
【図１】
2019155854.tif 000003
【図２】
2019155854.tif 000004
【図３】
2019155854.tif 000005
【図４】
2019155854.tif 000006